(57)【要約】【課題】既設システムが設置されている場所にさらに新たなシステムを追加することを可能にする、電機装置の取付具について提案する。【解決手段】本開示による電機装置の取付具は、根元部と、当該根元部から延びる腕部と、先端部と、を備えている。そして、根元部は、所定の場所に第１の電機装置を取り付けるための接続部材における、第１の電機装置を取り付けるために使用される面以外の面に固定される。また、先端部は、第１の電機装置とは異なる第２の電機装置を取り付けるための部位となっている。【選択図】図３
2017224953.tif 000002
【特許請求の範囲】
【請求項１】
根元部と、当該根元部から延びる腕部と、先端部と、を備え、
前記根元部は、所定の構造物に第１の電機装置を取り付けるための接続部材における、前記第１の電機装置を取り付けるために使用される面以外の面に固定され、
前記先端部は、前記第１の電機装置とは異なる第２の電機装置を取り付けるための部位である、電機装置の取付具。
【請求項２】
請求項１において、
前記腕部は、Ｌ字形状をなしている、電機装置の取付具。
【請求項３】
請求項１又は２において、
前記腕部は、前記根元部から延びる第１の腕部材と、当該第１の腕部材が延びる方向とは異なる方向に延びる第２の腕部材と、前記第１の腕部材と前記第２の腕部材とを接続するための部材と、を備える、電機装置の取付具。
【請求項４】
請求項３において、
前記第１の電機装置は、前記所定の構造物に既に取り付けられている既設アンテナ装置であり、
前記第２の電機装置は、前記既設アンテナ装置の前記接続部材に取り付けられる新規アンテナ装置である、電機装置の取付具。
【請求項５】
請求項４において、
前記既設アンテナ装置の指向性の方向と前記新規アンテナ装置の指向性の方向とが合致するように、前記第２の腕部材は前記第１の腕部材が延びる方向と垂直の方向に延びる、電機装置の取付具。
【発明の詳細な説明】
【技術分野】
【０００１】
本開示は、電機装置を所定の場所に取り付けるための取付具に関するものである。
【背景技術】
【０００２】
現在、鉄塔の上やビル及びマンションなどの比較的高層な建物の上には、様々な既設システム（電機装置）が設置されている。既設システムの例としては、アンテナ、基地局、無線機（通信機）等が挙げられる。このような既設システムが同じ鉄塔や建物などに既に多数取り付けられており、例えば、新規システムを既設システムが設置されている鉄塔や建物に追加する場合、設置場所を確保するのが困難となってきている。
例えば、特許文献１には、電柱などの支柱に通信基地局を取り付けるための取り付け装置が開示されている。
【先行技術文献】
【特許文献】
【０００３】
【特許文献１】特開２０１３−２１７７０号公報
【発明の概要】
【発明が解決しようとする課題】
【０００４】
本開示は、既設システムが設置されている場所にさらに新たなシステムを追加することを可能にする電機装置の取付具について提案する。
【課題を解決するための手段】
【０００５】
本開示による電機装置の取付具は、根元部と、当該根元部から延びる腕部と、先端部と、を備えている。そして、根元部は、所定の場所に第１の電機装置を取り付けるための接続部材における、第１の電機装置を取り付けるために使用される面以外の面に固定される。また、先端部は、第１の電機装置とは異なる第２の電機装置を取り付けるための部位となっている。
さらなる本開示の特徴は、以下本開示を実施するための形態および添付図面によって明らかになるものである。
【発明の効果】
【０００６】
本開示によれば、新規システムを設置する場所を容易に確保することができるようになる。
【図面の簡単な説明】
【０００７】
【図１】第１の実施形態における、新規アンテナ装置（簡易アンテナ）２０を既設アンテナ装置１０に取り付けたときのアンテナ装置全体を上方向から見た状態を示す図である。
【図２】第１の実施形態における、新規アンテナ装置２０を既設アンテナ装置１０に取り付けたときのアンテナ装置全体の外観を示す図である。
【図３】アンテナ取付具３０の構成を示す分解図である。
【図４】第２の実施形態における、新規アンテナ装置（簡易アンテナ）２０を既設アンテナ装置１０に取り付けたときのアンテナ装置全体を示す図である。
【図５】第３の実施形態における、新規アンテナ装置（簡易アンテナ）２０を既設アンテナ装置１０に取り付けたときのアンテナ装置全体を上方向から見た状態を示す図である。
【発明を実施するための形態】
【０００８】
以下、添付図面を参照して本開示の実施形態について説明する。添付図面では、機能的に同じ要素は同じ番号で表示される場合もある。
【０００９】
各実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１０】
（１）第１の実施形態
第１の実施形態では、取付対象の電機装置としてアンテナ装置を例に本開示の特徴について説明するが、本開示の特徴はアンテナ装置以外の電機装置（通信機、無線機、基地局など）についても適用可能である。
【００１１】
＜アンテナ装置における課題：補足＞
背景技術において上述したように、鉄塔や各種建物（構造物）には、所定の周波数帯の電波を送受信し、所定の通信領域をカバーする既設アンテナ装置が取り付けられている。一方、近年では、既設アンテナ装置とは周波数帯が異なるアンテナ装置（新規アンテナ装置）を新たに追加したいというニーズも多く出てきている。
【００１２】
このようなニーズに応えるために、まず考えられるのは、既設アンテナ装置を既存の周波数帯と新たな周波数帯の両方に対応できるアンテナ装置に交換することである。しかしながら、アンテナ装置を交換する場合、既設アンテナ装置を停波しなければならない。これは既存のサービスを停止することとなり、好ましくない。
【００１３】
また、アンテナ装置の交換以外では、既設アンテナ装置が取り付けられているポール（支柱）の別の場所（高さが異なる箇所）に新規アンテナ装置を取り付けることも考えられる。しかしながら、既設アンテナ装置と新規アンテナ装置とにおいては指向性の方向を合わせる必要があり、また、設置高さもそろえることが好ましい。
【００１４】
さらに、既存のポールに、新規アンテナ装置を取り付けるためのサブポールを取り付け、それに新規アンテナ装置を取り付けることも考えられる。しかしながら、さらにサブポール及び新規アンテナ装置を取り付ける場合、取り付けられる装置や部材の全重量がポール（既存のポール）の耐荷重を超えてしまう可能性もある。
【００１５】
そこで、第１の実施形態は、新たなポールを既存のポールに取り付けることなく、かつ既設アンテナ装置を停波させることなく、より簡易に新規アンテナ装置を取り付けるための取付具について提案するものである。
【００１６】
＜既設アンテナ装置に新規アンテナ装置を取り付けた状態＞
（i）図１は、第１の実施形態における、新規アンテナ装置（簡易アンテナ）２０を既設アンテナ装置１０に取り付けたときのアンテナ装置全体を上方向（図２Ａの矢印Ｚの方向）から見た状態を示す図である。なお、新規アンテナ装置２０は、例えば、既設アンテナ装置１０の周波数帯よりも高い周波数帯域で動作するアンテナである。
【００１７】
既設アンテナ装置１０には、ポールに既設アンテナ装置１０を取り付ける（固定する）ための接続部材１１が取り付けられている。当該接続部材１１は、コの字形状をなす部材であり、開口端部１１３（図３参照）で既設アンテナ装置１０にネジや溶接（例）によって固定されている。接続部材１１は、ポールに直接固定することができないため、固定具（アダプタ部材）を介して（接続部材１１と固定具とは例えばネジ止めされる）ポールに固定される。当該固定具は、図１に示されるように、ポールの側面形状に合致する内側密着面４１１及びネジ穴（例）を有する第１固定部材４１と、同様にポールの側面形状に合致する内側密着面４２１を有する第２固定部材４２と、２つの締め具４３とによって構成される。
【００１８】
一方、新規アンテナ装置２０は、接続部材１１の側面１１２（図３参照）から延びるように取り付けられたアンテナ取付具３０に固定される。アンテナ取付具３０は、接続部材１１の側面部に取付けられた腕部材３１の先端部に固定される。なお、腕部材３１は根元部と腕部で構成されている。アンテナ取付具３０の詳細については後述するが、図１に示されるように、既設アンテナ装置１０の取り付け方向と、アンテナ取付具３０を介して既設アンテナ装置１０の接続部材１１に固定された新規アンテナ装置２０の取り付け方向とは同じ方向となっている。即ち、既設アンテナ装置１０の指向性の方向と新規アンテナ装置２０の指向性の方向とは一致させることができている。
【００１９】
（ii）図２は、第１の実施形態における、新規アンテナ装置２０を既設アンテナ装置１０に取り付けたときのアンテナ装置全体の外観を示す図である。図２Ａは、アンテナ装置全体をポール側から見た様子を示している。図２Ｂは、アンテナ装置全体を横（新規アンテナ装置２０側）から見た様子を示している。図２Ｃは、アンテナ装置全体を正面斜め右上方向から見た様子を示している。図２Ｄは、アンテナ装置全体を正面斜め左下方向から見た様子を示している。なお、新規アンテナ装置２０は、既設アンテナ装置１０よりも高い周波数帯の電波を送受信するため、既設アンテナ装置１０よりも小型なものとなっている。
【００２０】
図２Ａ乃至Ｄから分かるように、新規アンテナ装置２０は、アンテナ取付具３０を介して既設アンテナ装置１０に固定された接続部材１１の側面１１２に取り付けられ、既設アンテナ装置１０と平行となっている。また、図２Ｂから分かるように、アンテナ取付具３０は、既設アンテナ装置１０の電波の放射面の位置と新規アンテナ装置２０の電波の放射面の位置とがおよそ同一となるように、ほぼＬ字形状をなしている。このようにすることにより、ポールにおける、既設アンテナ装置１０の設置位置と新規アンテナ装置２０の設置位置とをほぼ同一にすることができる。よって、既設アンテナ装置１０と新規アンテナ装置２０の指向性の方向を合わせることが容易にできるようになるとともに、水平面内におけるビーム幅が広いアンテナであっても、隣接するアンテナが邪魔してもう一方のアンテナの指向性が劣化することを防止できる。
【００２１】
なお、図２では、既設アンテナ装置１０に固定された２つの接続部材１１のうち、上側の接続部材１１に新規アンテナ装置２０を取り付けているが、下側の接続部材１１に取り付けるようにしてもよい。
【００２２】
＜アンテナ取付具の構成＞
図３は、アンテナ取付具３０の構成を示す分解図である。アンテナ取付具３０は、腕部材３１と、ポール取付金具３３及び３４と、取付用ポール３２と、チルト金具３５と、によって構成される。
【００２３】
腕部材３１は、その根元が接続部材１１の側面１１２にネジとナット板３６とによりネジ止めされ、接続部材１１の側面１１２と垂直な方向に延びるように接続部材１１に取り付けられる。なお、図３では、一例として、接続部材１１に最初から穴が形成されている場合が示されているが、接続部材１１に穴が形成されていない場合には、腕部材３１を取り付ける前にネジ穴を形成する必要がある。或いは、ネジ止めではない方法によって腕部材３１を接続部材１１に取り付けるようにしてもよい。ネジ止め以外の方法としては、例えば、（i）溶接で固定したり、（ii）腕部材３１の根元（台座部材）をコの字形状に構成し（図３Ｂ参照）、当該台座部材で接続部材１１を挟み、台座部材の開口部分（コの字の開口部分）をネジ止めするようにしたりしてもよい。
【００２４】
ポール取付金具３３及び３４は、新規アンテナ装置２０の延設方向（接続部材１１から延設される方向）を変えるための部材（方向転換部材）である。第１の実施形態では、ポール取付金具３３及び３４によって腕部材３１と垂直な方向に延設方向を転換しているが、ポール取付金具３４のチルト金具取り付け面３４１に所定の角度を付けることにより、垂直面内における最大放射方向を所望の方向に設定することが可能である。
【００２５】
取付用ポール３２は、新規アンテナ装置２０を取り付けるための円筒形の部材である。
一般に、このようなアンテナ装置は円筒形のポールに取り付くように設計されていることが多いため、取付用ポール３２を円筒形の部材とすることで、特別な取付部材がなくとも、設置が可能となる。また、取付用ポール３２の長さを取り付けに要する長さより長めに設定することで高さ方向の設置位置を自由に設定することもできる。
【００２６】
チルト金具３５は、その根元の端部がポール取付金具のチルト金具取り付け面３４１に例えばネジなどによって固定され、もう一方の端部が新規アンテナ装置２０に取り付けられたジョイント部材２１に例えばネジなどによって固定される。
【００２７】
なお、第１の実施形態では、アンテナ取付具３０は、図３に示すように複数の部材によって構成されているが、これに限定されるものではない。例えば、アンテナ取付具３０をＬ字形状をなす１つの部材として構成してもよいし、アンテナ取付具３０の一部のみ（例えば、ポール取付金具３４とチルト金具３５）を一体として構成してもよい。
【００２８】
（２）第２の実施形態
図４は、第２の実施形態における、新規アンテナ装置（簡易アンテナ）２０を既設アンテナ装置１０に取り付けたときのアンテナ装置全体を示す図である。第１の実施の形態では、取付用ポール３２を設け、新規アンテナ装置２０を取付用ポール３２に取付ける構造としていたが、第２の実施形態では、取付用ポール３２を設けずに新規アンテナ装置２０を取り付けている。
【００２９】
図４Ａに示すように、第２の実施の形態では、腕部材５３を断面形状が円筒形のパイプで構成し、新規アンテナ装置２０の取付金具２１に取付けられた腕部材６１に固定金具６２によって直接固定させる構造としている。
【００３０】
図４Ｂは、腕部材５３と、腕部材６１を接続する部分を図４Ａにおけるa方向から見た状態を示す図である。腕部材５３と腕部材６１とが接続される部分の形状は、腕部材５３にそった円弧上の形状になっており、固定金具６２も同様に円弧上の形状になっている。これらを例えばボルトとナットで締め付けることにより、腕部材６１が腕部材５３に、腕部材６１と固定金具６２の内側密着面において固定される。
【００３１】
図４Ｃは、腕部材５３と腕部材６３との接続部における別の実施形態を示している。腕部材６３と、固定金具６４は断面がコの字形状に突起部を設けた構造が採用されている。これにより、腕部材５３に対して回転方向の力がかかっても確実に固定することができる。
【００３２】
このように、第２の実施形態においては、取付用ポール３２を設けていないため、腕部材５３を軽量化出来るとともに、低コスト化を図ることができる。また、第１の実施の形態におけるチルト金具３５を用いなくても任意のチルト（垂直面内における最大放射方向）に設定することができる。
【００３３】
なお、第２の実施形態では、腕部材５３を円筒形のパイプで構成したが、必ずしも円筒形のパイプである必要はなく、断面形状が四角形状やＬ型の形状であってもよい。また、腕部材６１や腕部材６３においても所望の強度が得られれば、断面の形状はいかなる形状であってもよい。
【００３４】
（３）第３の実施形態
図５は、第３の実施形態における、新規アンテナ装置（簡易アンテナ）２０を既設アンテナ装置１０に取り付けたときのアンテナ装置全体を示す図である。第２の実施形態では、腕部材５３と腕部材６１を別々の部材で構成していたが、第３の実施形態においては、腕部材５３と腕部材６１を一体の構造とした、腕部材７１によって新規アンテナ装置２０を、既設アンテナ装置１０に取り付けている。
【００３５】
腕部材７１は、パイプを略Ｌ字形状に曲げた構造になっている。腕部材７１の両端には、フランジ７２とフランジ７３がネジや溶接によって取り付けられている。そして、フランジ７２は、接続部材１１の側面部に取付けられ、フランジ７３は、フランジ８２を固定している。フランジ８２は、新規アンテナ装置２０の取付具であるアンテナ取付具８１と、ネジや溶接によって取り付けられている。
【００３６】
このように、略Ｌ字形状に曲げた腕部材７１を採用することによって、腕部材を軽量化ならびに低コスト化することができる。
【００３７】
なお、第３の実施形態では、パイプを曲げているが、パイプの断面形状は丸でも四角でも他の形状でもよく、二つのＬ字型やコの字型のアングルを溶接によって接合させてもよいし、必要に応じて、取付用ポール３２や、チルト金具３５を設けてもよい。
【００３８】
さらに、フランジ７２、フランジ７３、フランジ８２は、ネジや溶接によって取り付けられているとしたが、所望の取り付け強度が得られれば、ネジや溶接以外の他の接合方法でもよい。
【００３９】
（４）まとめ
（i）本実施形態による電機装置の取付具は、根元部と、当該根元部から延びる腕部と、先端部と、によって構成される。根元部は、所定の構造物に第１の電機装置を取り付けるための接続部材における、既設電機装置（第１の電機装置）を取り付けるために使用される面以外の面（例えば、コの字形状の接続部材の側面）に固定される。先端部は、第１の電機装置とは異なる新規電機装置（第２の電機装置）を取り付けるための部位となっている。このように、既設電機装置の接続部材（例えば、ポールに既設電機装置を固定するための部材）の使用していない面に新規電機装置を取り付けられるようにしているので、新規電機装置の取付場所を容易に確保することが可能となる。また、既設アンテナ装置が取り付けられている構造物に新たな金具を追加することなく新規アンテナ装置を設置することができる。
【００４０】
電機装置の取付具の腕部は、Ｌ字形状をなしている。当該腕部は、１つの部材でＬ字形状をなすように構成されてもよいし、複数の部材でＬ字形状をなすように構成されてもよい。当該腕部が複数の部材で構成される場合、腕部は、根元部から延びる第１の腕部材と、当該第１の腕部材が延びる方向とは異なる方向に延びる第２の腕部材と、第１の腕部材と第２の腕部材とを接続するための部材と、を備える。既設電機装置及び新規電機装置は共にアンテナ装置とすることができる。このとき、本実施形態では、腕部を、Ｌ字形状に構成し、或いは第２の腕部材を第１の腕部材が延びる方向と垂直の方向に延びるように構成したので、既設アンテナ装置の指向性の方向と新規アンテナ装置の指向性の方向とが合致するようにすることが可能となる。
【符号の説明】
【００４１】
１０  既設アンテナ装置
２０  新規アンテナ装置
３０  アンテナ取付具
３１  腕部材
３２  取付用ポール
３３及び３４  ポール取付金具
３５  チルト金具
【図１】
2017224953.tif 000003
【図２】
2017224953.tif 000004
【図３】
2017224953.tif 000005
【図４】
2017224953.tif 000006
【図５】
2017224953.tif 000007